(57)【特許請求の範囲】
【請求項１】
コンピュータで読み取り可能なプログラムであって、
前記プログラムは、前記コンピュータを、
リスナーの撮像データを取得する撮像データ取得手段と、
前記撮像データ取得手段により取得された撮像データに画像認識処理を実施して、当該撮像データに含まれているリスナーの雰囲気を含むリスナー情報を生成するリスナー情報生成手段と、
前記リスナー情報生成手段により生成されたリスナー情報に予め対応付けられたジャンルに属する楽曲リストを、楽曲データを記憶するサーバから取得する楽曲リスト取得手段と、
前記楽曲リスト取得手段により取得された楽曲リストに基づいてプレイリストを作成するプレイリスト作成手段と、を備えたプレイリスト作成装置として機能させ、
前記リスナー情報生成手段は、
前記撮像データ取得手段により取得された撮像データに対する画像認識処理により当該リスナーの表情を特定可能ならば、当該リスナーの表情に基づいて当該リスナーの雰囲気を特定し、当該リスナーの表情を特定不可能ならば、前記撮像データに対する画像認識処理により当該リスナーの服装の特徴を抽出し、当該リスナーの服装の特徴に基づいて当該リスナーの雰囲気を特定する
ことを特徴とするコンピュータで読み取り可能なプログラム。
【請求項２】
請求項１に記載のコンピュータで読み取り可能なプログラムであって、
前記リスナー情報生成手段は、
前記撮像データ取得手段により取得された撮像データに複数のリスナーが含まれている場合、前記撮像データ取得手段により取得された撮像データに対する画像認識処理により当該複数のリスナーのうちの少なくとも一人の表情を特定可能ならば、当該少なくとも一人の表情に基づいて当該複数のリスナーの雰囲気を特定し、当該複数のリスナーのうちのいずれの表情も特定不可能ならば、前記撮像データに対する画像認識処理により当該複数のリスナーの服装の特徴を抽出し、当該服装の特徴に基づいて当該複数のリスナーの雰囲気を特定する
ことを特徴とするコンピュータで読み取り可能なプログラム。
【請求項３】
請求項１または２に記載のコンピュータで読み取り可能なプログラムであって、
前記撮像データ取得手段は、
前記コンピュータが備えるカメラ機能を利用してリスナーを撮像し、当該リスナーの撮像データを取得する
ことを特徴とするコンピュータで読み取り可能なプログラム。
【請求項４】
請求項１ないし３のいずれか一項に記載のコンピュータで読み取り可能なプログラムであって、
前記プレイリスト作成装置は、
前記プレイリスト作成手段により作成されたプレイリストを、所定のオーディオ機器に送信するプレイリスト送信手段をさらに備える
ことを特徴とするコンピュータで読み取り可能なプログラム。
【請求項５】
楽曲のプレイリストを作成するプレイリスト作成装置であって、
リスナーの撮像データを取得する撮像データ取得手段と、
前記撮像データ取得手段により取得された撮像データに画像認識処理を実施して、当該撮像データに含まれているリスナーの雰囲気を含むリスナー情報を生成するリスナー情報生成手段と、
前記リスナー情報生成手段により生成されたリスナー情報に予め対応付けられたジャンルに属する楽曲リストを、楽曲データを記憶するサーバから取得する楽曲リスト取得手段と、
前記楽曲リスト取得手段により取得された楽曲リストに基づいてプレイリストを作成するプレイリスト作成手段と、を備え、
前記リスナー情報生成手段は、
前記撮像データ取得手段により取得された撮像データに対する画像認識処理により当該リスナーの表情を特定可能ならば、当該リスナーの表情に基づいて当該リスナーの雰囲気を特定し、当該リスナーの表情を特定不可能ならば、前記撮像データに対する画像認識処理により当該リスナーの服装の特徴を抽出し、当該リスナーの服装の特徴に基づいて当該リスナーの雰囲気を特定する
ことを特徴とするプレイリスト作成装置。
【請求項６】
請求項５に記載のプレイリスト作成装置と、
識別情報が付与され、オーディオ再生機能を有する複数のワイヤレススピーカと、を備え、
前記プレイリスト作成装置は、
前記プレイリスト作成手段により作成されたプレイリストの送信先となる前記ワイヤレススピーカの識別情報を取得する識別情報取得手段と、
前記プレイリスト作成手段により作成されたプレイリストに、前記識別情報取得手段により取得された識別情報を付加して、当該プレイリストをワイヤレスで同報送信するプレイリスト送信手段と、をさらに備え、
前記ワイヤレススピーカは、
前記プレイリスト作成装置よりワイヤレスで同報送信されたプレイリストに付加されている識別情報が自ワイヤレススピーカの識別情報である場合に、当該プレイリストを受け付けるプレイリスト受付手段と、
前記楽曲データを記憶するサーバから、前記プレイリスト受付手段により受け付けたプレイリストに記述されている楽曲の楽曲データを取得する楽曲データ取得手段と、
前記楽曲データ取得手段により取得した楽曲データを、前記プレイリスト受付手段により受け付けたプレイリストに従って再生出力する再生出力手段と、を備える
ことを特徴とするワイヤレスオーディオシステム。
【請求項７】
請求項６に記載のワイヤレスオーディオシステムであって、
前記ワイヤレススピーカには、当該ワイヤレススピーカに付与された識別情報を表すＱＲコード（登録商標）が貼付されており、
前記プレイリスト作成装置の前記識別情報取得手段は、
前記プレイリスト作成手段により作成されたプレイリストの送信先となる前記ワイヤレススピーカに貼付されたＱＲコード（登録商標）を撮像することにより、当該ワイヤレススピーカの識別情報を取得する
ことを特徴とするワイヤレスオーディオシステム。
【請求項８】
請求項６に記載のワイヤレスオーディオシステムであって、
前記ワイヤレススピーカには、当該ワイヤレススピーカに付与された識別情報を記憶したＲＦＩＤ（Ｒａｄｉｏ  Ｆｒｅｑｕｅｎｃｙ  Ｉｄｅｎｔｉｆｅｒ）タグを有しており、
前記プレイリスト作成装置の前記識別情報取得手段は、
近距離無線通信により、前記プレイリスト作成手段により作成されたプレイリストの送信先となる前記ワイヤレススピーカが有するＲＦＩＤタグから当該ワイヤレススピーカの識別情報を取得する
ことを特徴とするワイヤレスオーディオシステム。
【発明の詳細な説明】
【技術分野】
【０００１】
本発明は、オーディオ機器で再生する楽曲のプレイリスト作成技術に関する。
【背景技術】
【０００２】
特許文献１には、複数のグループに分類された複数のワイヤレススピーカを備え、グループ毎に異なる楽曲データを再生可能なワイヤレスオーディオシステムが開示されている。このワイヤレスオーディオシステムでは、グループ毎に、そのグループに属する複数のワイヤレススピーカがアービトレーションを実施して、これらのワイヤレススピーカのなかから一台のワイヤレススピーカを選出する。そして、選出されたワイヤレススピーカがグループリーダとなって、同じグループに属する複数のワイヤレススピーカに対する操作をユーザから受け付けて、これらのワイヤレススピーカにコントロール信号を送信する。
【先行技術文献】
【特許文献】
【０００３】
【特許文献１】米国特許第７９８７２９４号明細書
【発明の概要】
【発明が解決しようとする課題】
【０００４】
特許文献１に記載のワイヤレスオーディオシステムによれば、例えば、複数のワイヤレススピーカを複数の部屋に設置するとともに、同じ部屋に設置されたワイヤレススピーカを同じグループに設定することにより、部屋毎に異なる楽曲データを再生することができる。
【０００５】
しかし、部屋毎にどのような楽曲データを再生するかについて、特許文献１に記載の技術は何ら考慮していない。同じ部屋にいるすべてのリスナーに満足して貰える楽曲データを、メディアサーバ等に格納されている膨大な楽曲データのなかから選出してプレイリストを作成する作業は、とても煩雑である。このような作業を担当するユーザの負担は大きい。
【０００６】
本発明は上記事情に鑑みてなされたものであり、その目的は、プレイリスト作成にかかるユーザの作業負担を軽減することにある。
【課題を解決するための手段】
【０００７】
上記課題を解決するために、本発明では、リスナーの撮像データに画像認識処理を実施して、この撮像データに含まれているリスナーの表情、年齢層および性別の少なくとも一つを含むリスナー情報を生成し、このリスナー情報に予め対応付けられたジャンルに属する楽曲に基づいてプレイリストを作成する。
【０００８】
例えば、本発明の一態様は、コンピュータで読み取り可能なプログラムであって、
前記プログラムは、前記コンピュータを、
リスナーの撮像データを取得する撮像データ取得手段と、
前記撮像データ取得手段により取得された撮像データに画像認識処理を実施して、当該撮像データに含まれているリスナーの雰囲気を含むリスナー情報を生成するリスナー情報生成手段と、
前記リスナー情報生成手段により生成されたリスナー情報に予め対応付けられたジャンルに属する楽曲リストを、楽曲データを記憶するサーバから取得する楽曲リスト取得手段と、
前記楽曲リスト取得手段により取得された楽曲リストに基づいてプレイリストを作成するプレイリスト作成手段と、を備えたプレイリスト作成装置として機能させ、
前記リスナー情報生成手段は、
前記撮像データ取得手段により取得された撮像データに対する画像認識処理により当該リスナーの表情を特定可能ならば、当該リスナーの表情に基づいて当該リスナーの雰囲気を特定し、当該リスナーの表情を特定不可能ならば、前記撮像データに対する画像認識処理により当該リスナーの服装の特徴を抽出し、当該リスナーの服装の特徴に基づいて当該リスナーの雰囲気を特定する。
【０００９】
また、本発明の他の態様は、楽曲のプレイリストを作成するプレイリスト作成装置であって、
リスナーの撮像データを取得する撮像データ取得手段と、
前記撮像データ取得手段により取得された撮像データに画像認識処理を実施して、当該撮像データに含まれているリスナーの雰囲気を含むリスナー情報を生成するリスナー情報生成手段と、
前記リスナー情報生成手段により生成されたリスナー情報に予め対応付けられたジャンルに属する楽曲リストを、楽曲データを記憶するサーバから取得する楽曲リスト取得手段と、
前記楽曲リスト取得手段により取得された楽曲リストに基づいてプレイリストを作成するプレイリスト作成手段と、を備え、
前記リスナー情報生成手段は、
前記撮像データ取得手段により取得された撮像データに対する画像認識処理により当該リスナーの表情を特定可能ならば、当該リスナーの表情に基づいて当該リスナーの雰囲気を特定し、当該リスナーの表情を特定不可能ならば、前記撮像データに対する画像認識処理により当該リスナーの服装の特徴を抽出し、当該リスナーの服装の特徴に基づいて当該リスナーの雰囲気を特定する。
【００１０】
また、本発明の他の態様は、ワイヤレスオーディオシステムであって、
上述のプレイリスト作成装置と、
識別情報が付与され、オーディオ再生機能を有する複数のワイヤレススピーカと、を備え、
前記プレイリスト作成装置は、
前記プレイリスト作成手段により作成されたプレイリストの送信先となる前記ワイヤレススピーカの識別情報を取得する識別情報取得手段と、
前記プレイリスト作成手段により作成されたプレイリストに、前記識別情報取得手段により取得された識別情報を付加して、当該プレイリストをワイヤレスで同報送信するプレイリスト送信手段と、をさらに備え、
前記ワイヤレススピーカは、
前記プレイリスト作成装置よりワイヤレスで同報送信されたプレイリストに付加されている識別情報が自ワイヤレススピーカの識別情報である場合に、当該プレイリストを受け付けるプレイリスト受付手段と、
前記楽曲データを記憶するサーバから、前記プレイリスト受付手段により受け付けたプレイリストに記述されている楽曲の楽曲データを取得する楽曲データ取得手段と、
前記楽曲データ取得手段により取得した楽曲データを、前記プレイリスト受付手段により受け付けたプレイリストに従って再生出力する再生出力手段と、を備える。
【発明の効果】
【００１１】
本発明では、リスナーの撮像データから、リスナーの表情、年齢層および性別の少なくとも一つを含むリスナー情報を生成し、このリスナー情報に予め対応付けられたジャンルに属する楽曲のなかから楽曲を選択してプレイリストを作成するので、ユーザがリスナーを撮像するだけで自動的にプレイリストを作成することができる。したがって、本発明によれば、プレイリスト作成にかかるユーザの作業負担を軽減することができる。
【図面の簡単な説明】
【００１２】
【図１】図１は、本発明の一実施の形態に係るワイヤレスオーディオシステムの概略構成図である。
【図２】図２は、図１に示すワイヤレスオーディオシステムの動作を説明するためのシーケンス図である。
【図３】図３は、ワイヤレススピーカ１の概略機能構成図である。
【図４】図４は、ワイヤレススピーカ１の動作を説明するためのフロー図である。
【図５】図５は、プレイリスト作成端末２の概略機能構成図である。
【図６】図６は、ジャンル情報記憶部２５の登録内容例を模式的に表した図である。
【図７】図７は、プレイリスト作成端末２の動作を説明するためのフロー図である。
【発明を実施するための形態】
【００１３】
以下、本発明の一実施の形態について、図面を参照して説明する。
【００１４】
図１は、本実施の形態に係るワイヤレスオーディオシステムの概略構成図である。
【００１５】
図示するように、本実施の形態に係るワイヤレスオーディオシステムは、それぞれＩＤが付与された複数のワイヤレススピーカ１−１〜１−３（以下、単にワイヤレススピーカ１とも呼ぶ）と、カメラ機能を有する携帯端末であるプレイリスト作成端末２と、ネットワーク５に接続されたメディアサーバ３およびアクセスポイント４と、を備えて構成されている。ここで、ワイヤレススピーカ１−１〜１−３は、それぞれＡ〜Ｃ号室に設置されているものとする。
【００１６】
ワイヤレススピーカ１は、アクセスポイント４を介してプレイリスト作成端末２およびメディアサーバ３に接続されており、プレイリスト作成端末２から受信したプレイリストに従いメディアサーバ３から楽曲データを取得して再生出力する。
【００１７】
プレイリスト作成端末２も、アクセスポイント４を介してワイヤレススピーカ１およびメディアサーバ３に接続されており、メディアサーバ３と連携して、カメラ機能を用いて撮像したリスナーの撮像データから、そのリスナーに聞かせる楽曲のプレイリストを作成する。そして、作成したプレイリストを楽曲データの再生出力先のワイヤレススピーカ１に送信する。
【００１８】
図２は、図１に示すワイヤレスオーディオシステムの動作を説明するためのシーケンス図である。ここでは、プレイリスト作成端末２のユーザが、プレイリスト作成端末２に、Ａ号室のリスナーに聞かせるプレイリストを作成させ、Ａ号室に設置されたワイヤレススピーカ１−１に、このプレイリストに従って楽曲データを再生出力させる場合の動作を例にとり説明する。
【００１９】
まず、プレイリスト作成端末２のユーザは、Ａ号室に設置されたワイヤレススピーカ１−１に付与されているＩＤを確認し、このＩＤをプレイリスト作成端末２に入力する（Ｓ１００）。これを受けて、プレイリスト作成端末２は、ワイヤレススピーカ１−１のＩＤをプレイリスト送信先ＩＤに設定する（Ｓ１０１）。
【００２０】
つぎに、プレイリスト作成端末２のユーザが、Ａ号室にいるリスナーを被写体として撮影操作を行うと（Ｓ１０２）、プレイリスト作成端末２は、カメラ機能を利用してＡ号室にいるリスナーを撮影する（Ｓ１０３）。そして、Ａ号室にいるリスナーの撮影データに顔認識処理を実施して、Ａ号室にいるリスナーからなるリスナーグループの雰囲気、年齢層、および男女割合を含むリスナー情報を生成する（Ｓ１０４）。
【００２１】
具体的には、撮影データに対する顔認識処理の結果に基づいて、Ａ号室にいるリスナーそれぞれの表情、年齢層、および性別を特定する。リスナーの表情は、喜、怒、哀、楽、明、暗、リラックス、緊張等のさまざまなものに分類可能であるが、ここでは、リスナーの表情を喜怒哀楽の４つのいずれかに分類する場合を一例に挙げる。そして、所定割合（例えば２／３）以上のリスナーの表情（喜怒哀楽の別）が一致しているならば、その表情をリスナーグループの雰囲気と判断し、そうでない場合は、リスナーグループの雰囲気を特定不可と判断する。同様に、所定割合（例えば２／３）以上のリスナーの年齢層が一致しているならば、その年齢層をリスナーグループの年齢層と判断し、そうでない場合は、リスナーグループの年齢層を特定不可と判断する。また、所定割合（例えば２／３）以上のリスナーの性別が男性の場合は、リスナーグループの男女割合を男性主体と判断し、所定割合（例えば２／３）以上のリスナーの性別が女性の場合は、リスナーグループの男女割合を女性主体と判断し、それ以外の場合は、リスナーグループの男女割合を混合と判断する。
【００２２】
なお、顔認識処理には、特開２００５−１４８８８０号公報、特開２０１３−２４２７１９号公報等に記載の既存技術を利用することができる。
【００２３】
つぎに、プレイリスト作成端末２は、以上のようにして作成したリスナー情報に予め対応付けられて登録されているジャンル情報を、プレイリストに記述する楽曲のジャンル情報に決定する（Ｓ１０５）。プレイリスト作成端末２には、リスナー情報と、楽曲のジャンルおよび年代を含むジャンル情報との対応関係が登録されている。例えば、リスナー情報に含まれている雰囲気が「喜」または「楽」である場合、リスナー情報に対応付けられているジャンル情報には、リスナー情報に含まれている男女割合に応じたジャンル（男女割合が「男性主体」ならばジャンル「ロック」、男女割合が「女性主体」ならばジャンル「ポップス」、男女割合が「混合」ならばジャンル「ムード音楽」）が含まれる。また、リスナー情報に含まれている雰囲気が「怒」または「哀」である場合、リスナー情報に対応付けられているジャンル情報には、リスナー情報に含まれる男女割合にかかわらずジャンル「クラシック」が含まれる。また、「ポップス」および「ロック」のいずれか一方のジャンルを含むジャンル情報には、対応するリスナー情報に含まれている年齢層のリスナーが１０代の頃の年代（１９７０年代、１９８０年代、１９９０年代、２０００年代等）が含まれ、「クラシック」および「ムード音楽」のいずれか一方のジャンルを含むジャンル情報には、対応するリスナー情報に含まれている年齢層にかかわらず年代「指定なし」が含まれる。
【００２４】
つぎに、プレイリスト作成端末２は、以上のようにして決定したジャンル情報（ジャンル、年代）の指定を伴う楽曲リスト要求を、アクセスポイント４およびネットワーク５を介してメディアサーバ３に送信する（Ｓ１０６）。
【００２５】
メディアサーバ３は、プレイリスト作成端末２から楽曲リスト要求を受信すると、予めジャンル情報に対応付けて自メディアサーバ３に格納している楽曲データのなかから、この楽曲リスト要求で指定されているジャンル情報に対応付けられている楽曲データを検索して、これらの楽曲データの楽曲リストを作成する（Ｓ１０７）。そして、作成した楽曲リストをプレイリスト作成端末２に送信する（Ｓ１０８）。
【００２６】
プレイリスト作成端末２は、メディアサーバ３から楽曲リストを受け取ったならば、この楽曲リストに基づいてプレイリストを作成する（Ｓ１０９）。例えば、楽曲リストに記述されている楽曲数が所定数未満ならば、この楽曲リストをプレイリストとする。一方、所定数以上ならば、この楽曲リストから所定数の楽曲をランダムに選出してプレイリストを作成する。つぎに、プレイリスト作成端末２は、作成したプレイリストに、プレイリスト送信先ＩＤに設定されたＡ号室のワイヤレススピーカ１−１のＩＤを付加し、このプレイリストをアクセスポイント４経由で各ワイヤレススピーカ１−１〜１−３にマルチキャスト送信する（Ｓ１１０）。
【００２７】
ここで、Ａ号室のワイヤレススピーカ１−１以外のワイヤレススピーカ１−２、１−３は、プレイリスト作成端末２からマルチキャスト送信されたプレイリストに付加されているＩＤが自ワイヤレススピーカ１−２、１−３のＩＤではないため、これを破棄する（Ｓ１１１、Ｓ１１２）。一方、Ａ号室のワイヤレススピーカ１−１は、プレイリスト作成端末２からマルチキャスト送信されたプレイリストに付加されているＩＤが自ワイヤレススピーカ１−１のＩＤであるため、これを受け付ける（Ｓ１１３）。
【００２８】
つぎに、Ａ号室のワイヤレススピーカ１−１は、プレイリスト作成端末２より受け付けたプレイリストを含む楽曲データ要求を、アクセスポイント４およびネットワーク５を介してメディアサーバ３に送信する（Ｓ１１４）。
【００２９】
これを受けて、メディアサーバ３は、自メディアサーバ３に格納している楽曲データのなかから、Ａ号室のワイヤレススピーカ１−１から受信した楽曲データ要求で指定されているプレイリストに記述されている楽曲データを特定して、これらの楽曲データをＡ号室のワイヤレススピーカ１−１に送信する（Ｓ１１５）。
【００３０】
これを受けて、Ａ号室のワイヤレススピーカ１−１は、メディアサーバ３から受信した楽曲データを、プレイリストに記述された順番に従って再生し出力する（Ｓ１１６）。
【００３１】
つぎに、本実施の形態に係るワイヤレスオーディオシステムのワイヤレススピーカ１およびプレイリスト作成端末２の詳細について説明する。なお、メディアサーバ３およびアクセスポイント４には、既存のメディアサーバおよびアクセスポイントを利用できるので、その詳細な説明を省略している。
【００３２】
まず、ワイヤレススピーカ１について説明する。
【００３３】
図３は、ワイヤレススピーカ１の概略機能構成図である。この図に示すワイヤレススピーカ１の機能構成は、例えば、ＣＰＵと、メモリと、フラッシュメモリ等の補助記憶装置と、無線ＬＡＮアダプタ等の無線通信装置と、スピーカと、を備えたコンピュータにおいて、ＣＰＵが所定のプログラムを補助記憶装置からメモリ上にロードして実行することにより実現される。
【００３４】
図示するように、ワイヤレススピーカ１は、ワイヤレスネットワークインターフェース部１０と、プレイリスト受付部１１と、プレイリスト記憶部１２と、楽曲データ取得部１３と、楽曲データ記憶部１４と、楽曲データ再生部１５と、スピーカ部１６と、を備えている。
【００３５】
ワイヤレスネットワークインターフェース部１０は、アクセスポイント４を介してプレイリスト作成端末２と通信したり、ネットワーク５に接続されたメディアサーバ３と通信したりするためのインターフェースである。
【００３６】
プレイリスト受付部１１は、ワイヤレスネットワークインターフェース部１０を介してプレイリスト作成端末２から、自ワイヤレススピーカ１のＩＤが付加されたプレイリストを受け付ける。
【００３７】
プレイリスト記憶部１２は、プレイリスト受付部１１がプレイリスト作成端末２から受け付けたプレイリストを記憶する。
【００３８】
楽曲データ取得部１３は、ワイヤレスネットワークインターフェース部１０を介してメディアサーバ３に、プレイリスト記憶部１２に記憶されているプレイリストを含む楽曲データ要求を送信して、このプレイリストに記述されている楽曲の楽曲データをメディアサーバ３から取得する。
【００３９】
楽曲データ記憶部１４は、楽曲データ取得部１３がメディアサーバ３から取得した楽曲データを記憶する。
【００４０】
楽曲データ再生部１５は、プレイリスト記憶部１２に記憶されているプレイリストに従って、楽曲データ記憶部１４に記憶されている楽曲データを再生し、スピーカ部１６から出力する。
【００４１】
図４は、ワイヤレススピーカ１の動作を説明するためのフロー図である。このフローは、ワイヤレスネットワークインターフェース部１０がプレイリスト作成端末２からマルチキャスト送信されたプレイリストを受信することにより開始される。
【００４２】
まず、ワイヤレスネットワークインターフェース部１０は、受信したプレイリストをプレイリスト受付部１１に渡す。これを受けて、プレイリスト受付部１１は、ワイヤレスネットワークインターフェース部１０から受け取ったプレイリストに付加されているプレイリスト送信先ＩＤが自ワイヤレススピーカ１のＩＤであるか否かを判断する（Ｓ２０１）。そして、プレイリスト送信先ＩＤが自ワイヤレススピーカ１のＩＤでない場合（Ｓ２０１でＮＯ）、プレイリスト受付部１１は、このプレイリストを破棄し（Ｓ２０２）、処理を終了する。
【００４３】
一方、プレイリスト送信先ＩＤが自ワイヤレススピーカ１のＩＤである場合（Ｓ２０１でＹＥＳ）、プレイリスト受付部１１は、このプレイリストを受け付けて、プレイリスト記憶部１２に記憶する（Ｓ２０３）。
【００４４】
プレイリスト記憶部１２に新たなプレイリストが記憶されると、楽曲データ取得部１３は、ワイヤレスネットワークインターフェース部１０を介してメディアサーバ３に、このプレイリストを含む楽曲データ要求を送信する（Ｓ２０４）。そして、メディアサーバ３から楽曲データを受信したならば、これを楽曲データ記憶部１４に記憶する（Ｓ２０５）。
【００４５】
楽曲データ再生部１５は、楽曲データ記憶部１４に新たな楽曲データが記憶されたならば、プレイリスト記憶部１２に記憶されているプレイリストに従って、楽曲データ記憶部１４に記憶されている楽曲データを再生し、スピーカ部１６から出力する（Ｓ２０６）。
【００４６】
つぎに、プレイリスト作成端末２について説明する。
【００４７】
図５は、プレイリスト作成端末２の概略機能構成図である。この図に示すプレイリスト作成端末２の機能構成は、例えば、ＣＰＵと、メモリと、フラッシュメモリ等の補助記憶装置と、タッチパネル、デイスプレイ、ポインティングデバイス等の入出力装置と、無線ＬＡＮアダプタ等の無線通信装置と、カメラと、を備えたスマートホン、タブレットＰＣ等の携帯型コンピュータにおいて、ＣＰＵが所定のプログラムを補助記憶装置からメモリ上にロードして実行することにより実現される。
【００４８】
図示するように、プレイリスト作成端末２は、ワイヤレスネットワークインターフェース部２０と、グラフィカルユーザインターフェース部２１と、プレイリスト送信先設定部２２と、撮像データ取得部２３と、リスナー情報生成部２４と、ジャンル情報記憶部２５と、楽曲リスト取得部２６と、プレイリスト作成部２７と、プレイリスト送信部２８と、を備えている。
【００４９】
ワイヤレスネットワークインターフェース部２０は、アクセスポイント４を介してワイヤレススピーカ１と通信したり、ネットワーク５に接続されたメディアサーバ３と通信したりするためのインターフェースである。
【００５０】
グラフィカルユーザインターフェース部２１は、情報を表示したり、ユーザから各種操作を受け付けたりするためのインターフェースである。
【００５１】
プレイリスト送信先設定部２２は、グラフィカルユーザインターフェース部２１を介してユーザよりプレイリスト送信先ＩＤとして受け付けたワイヤレススピーカ１のＩＤをプレイリスト送信部２８に設定する。
【００５２】
撮像データ取得部２３は、グラフィカルユーザインターフェース部２１を介してユーザより受け付けた撮影操作に従い、プレイリスト作成端末２のカメラ機能を使ってリスナーを撮影して、リスナーの撮影データを取得する。
【００５３】
リスナー情報生成部２４は、撮像データ取得部２３が取得したリスナーの撮像データに顔認識処理を実施して、この撮像データに写っているリスナーからなるリスナーグループの雰囲気（喜怒哀楽の別）、年齢層、および男女割合を含むリスナー情報を生成する。具体的には、撮像データに対する顔認識処理の結果に基づいて、撮像データに写っている各リスナーの表情（喜怒哀楽の別）、年齢層、および性別を特定する。そして、所定割合（例えば２／３）以上のリスナーの表情が一致しているならば、その表情をリスナーグループの雰囲気と判断し、そうでない場合は、リスナーグループの雰囲気を特定不可と判断する。同様に、所定割合（例えば２／３）以上のリスナーの年齢層が一致しているならば、その年齢層をリスナーグループの年齢層と判断し、そうでない場合は、リスナーグループの年齢層を特定不可と判断する。また、所定割合（例えば２／３）以上のリスナーの性別が男性の場合は、リスナーグループの男女割合を男性主体と判断し、所定割合（例えば２／３）以上のリスナーの性別が女性の場合は、リスナーグループの男女割合を女性主体と判断し、それ以外の場合は、リスナーグループの男女割合を混合と判断する。
【００５４】
上述したように、顔認識処理には、特開２００５−１４８８８０号公報、特開２０１３−２４２７１９号公報等に記載の既存技術を利用することができる。
【００５５】
ジャンル情報記憶部２５には、楽曲のジャンル情報がリスナー情報に対応付けられて登録されている。図６は、ジャンル情報記憶部２５の登録内容例を模式的に表した図である。図示するように、ジャンル情報記憶部２５には、楽曲のジャンル情報のレコード２５０が記憶されている。このレコード２５０は、リスナー情報が登録されたフィールド２５１と、楽曲のジャンル情報が登録されたフィールド２５２と、を有する。また、フィールド２５１は、雰囲気（喜怒哀楽の別）が登録されたサブフィールド２５３と、年齢層が登録されたサブフィールド２５４と、男女割合が登録されたサブフィールド２５５と、を有し、フィールド２５２は、楽曲のジャンルが登録されたサブフィールド２５６と、楽曲の年代が登録されたサブフィールド２５７と、を有する。なお、図において、「＊」は、すべての情報が該当するワイルドカードを示している。
【００５６】
図において、例えば、フィールド２５１のサブフィールド２５３〜２５５にそれぞれ雰囲気「喜」、「楽」、年齢層「特定不可」、男女割合「特定不可」が登録されているレコード２５０のフィールド２５２のサブフィールド２５６、２５７には、ジャンル「ポップス」、「ロック」、年代「指定なし」が登録されている。また、フィールド２５１のサブフィールド２５３〜２５５にそれぞれ雰囲気「喜」、「楽」、年齢層「中年」、男女割合「男性主体」が登録されているレコード２５０のフィールド２５２のサブフィールド２５６、２５７には、ジャンル「ロック」、年代「１９７０−１９８０年代」が登録されている。また、フィールド２５１のサブフィールド２５３〜２５５にそれぞれ雰囲気「喜」、「楽」、年齢層「青年」、男女割合「女性主体」が登録されているレコード２５０のフィールド２５２のサブフィールド２５６、２５７には、ジャンル「ポップス」、年代「１９９０−２０００年代」が登録されている。また、フィールド２５１のサブフィールド２５３〜２５５にそれぞれ雰囲気「喜」、「楽」、年齢層「＊」、男女割合「混合」が登録されているレコード２５０のフィールド２５２のサブフィールド２５６、２５７には、ジャンル「ムード音楽」、年代「指定なし」が登録されている。また、フィールド２５１のサブフィールド２５３〜２５５にそれぞれ雰囲気「怒」、「哀」、年齢層「＊」、男女割合「＊」が登録されているレコード２５０のフィールド２５２のサブフィールド２５６、２５７には、ジャンル「クラシック」、年代「指定なし」が登録されている。
【００５７】
楽曲リスト取得部２６は、リスナー情報生成部２４により生成されたリスナー情報（雰囲気、年齢層、男女割合）を検索キーにして、ジャンル情報記憶部２５から楽曲のジャンル情報のレコード２５０を検索する。そして、検索したレコード２５０のフィールド２５２に登録されているジャンル情報（ジャンル、年代）の指定を伴う楽曲リスト要求を生成し、ワイヤレスネットワークインターフェース部２０を介してメディアサーバ３にこの楽曲リスト要求を送信して、メディアサーバ３から楽曲リストを取得する。
【００５８】
プレイリスト作成部２７は、楽曲リスト取得部２６がメディアサーバ３から取得した楽曲リストに基づいてプレイリストを作成する。例えば、楽曲リストに記述されている楽曲数が所定数未満ならば、この楽曲リストをプレイリストとする。一方、所定数以上ならば、この楽曲リストから所定数の楽曲をランダムに選出してプレイリストを作成する。
【００５９】
プレイリスト送信部２８は、プレイリスト作成部２７によって作成されたプレイリストに、プレイリスト送信先設定部２２によって設定されたプレイリスト送信先ＩＤを付加して、ワイヤレスネットワークインターフェース部２０からマルチキャスト送信する。
【００６０】
図７は、プレイリスト作成端末２の動作を説明するためのフロー図である。このフローは、ユーザからのプレイリストの作成指示をグラフィカルユーザインターフェース部２１が受け付けることにより開始される。
【００６１】
まず、プレイリスト送信先設定部２２は、グラフィカルユーザインターフェース部２１を介してユーザよりプレイリスト送信先ＩＤとしていずれかのワイヤレススピーカ１のＩＤを受け付けるのを待つ（Ｓ３０１）。そして、プレイリスト送信先ＩＤを受け付けたならば（Ｓ３０１でＹＥＳ）、このプレイリスト送信先ＩＤをプレイリスト送信部２８に設定する（Ｓ３０２）。
【００６２】
つぎに、撮像データ取得部２３は、グラフィカルユーザインターフェース部２１を介してユーザより撮影操作を受け付けるのを待つ（Ｓ３０３）。そして、撮影操作を受け付けたならば（Ｓ３０３でＹＥＳ）、プレイリスト作成端末２のカメラ機能を使ってリスナーを撮影して、リスナーの撮影データを取得する（Ｓ３０４）。
【００６３】
つぎに、リスナー情報生成部２４は、撮像データ取得部２３が取得したリスナーの撮像データに顔認識処理を実施して、この撮像データに写っているリスナーからなるリスナーグループの雰囲気、年齢層、および男女割合を含むリスナー情報を生成する（Ｓ３０５）。
【００６４】
それから、楽曲リスト取得部２６は、リスナー情報生成部２４により生成されたリスナー情報（雰囲気、年齢層、男女割合）を検索キーにして、ジャンル情報記憶部２５からレコード２５０を検索する。そして、検索したレコード２５０のフィールド２５２に登録されているジャンル情報（ジャンル、年代）を、プレイリストに記述される楽曲のジャンル情報に決定する（Ｓ３０６）。そして、この決定されたジャンル情報の指定を伴う楽曲リスト要求を生成し、この楽曲リスト要求を、ワイヤレスネットワークインターフェース部２０を介してメディアサーバ３に送信して、メディアサーバ３から楽曲リストを取得する（Ｓ３０７）。
【００６５】
つぎに、プレイリスト作成部２７は、楽曲リスト取得部２６が取得した楽曲リストに基づいてプレイリストを作成する（Ｓ３０８）。例えば、楽曲リストに記述されている楽曲数が所定数未満ならば、この楽曲リストをプレイリストとする。一方、所定数以上ならば、この楽曲リストから所定数の楽曲をランダムに選出してプレイリストを作成する。
【００６６】
それから、プレイリスト送信部２８は、プレイリスト作成部２７によって作成されたプレイリストに、プレイリスト送信先設定部２２によって設定されたプレイリスト送信先ＩＤを付加し、このプレイリストを、ワイヤレスネットワークインターフェース部２０からマルチキャスト送信する（Ｓ３０９）。
【００６７】
以上、本発明の一実施の形態について説明した。
【００６８】
本実施の形態において、プレイリスト作成端末２は、リスナーの撮像データからリスナー情報を生成し、このリスナー情報に予め対応付けられたジャンル情報に属する楽曲データのなかから楽曲データを選択してプレイリストを作成するので、ユーザがリスナーを撮像するだけで自動的にプレイリストを作成することができる。したがって、本実施の形態によれば、プレイリスト作成にかかるユーザの作業負担を軽減することができる。
【００６９】
また、プレイリスト作成端末２は、撮像データに顔認識処理を実施して、この撮像データに写っているリスナーからなるリスナーグループの雰囲気、年齢層、および男女割合を含むリスナー情報を生成する。このため、撮像データに複数のリスナーが写っている場合でも、多くのリスナーに満足して貰える楽曲データを選出してプレイリストを作成することができ、プレイリスト作成にかかるユーザの作業負担をより軽減することができる。
【００７０】
なお、本発明は上記の実施の形態に限定されるものではなく、その要旨の範囲内で数々の変形が可能である。
【００７１】
例えば、上記の実施の形態では、リスナー情報に雰囲気、年齢層、および男女割合を含めているが、リスナー情報には、雰囲気、年齢層、および男女割合の少なくとも一つが含まれていればよい。
【００７２】
また、上記の実施の形態において、プレイリスト作成端末２は、各ワイヤレススピーカ１−１〜１−３にプレイリストをマルチキャスト送信しているが、マルチキャスト送信に代えて、例えば、ユニキャスト送信する構成としてもよい。
【００７３】
また、上記の実施の形態において、プレイリスト作成端末２は、リスナーの撮像データに基づいてプレイリストを作成しているが、この撮像データに加えて、例えば、昼間、夜間等の時間的要素、および／または、春、夏、秋、冬、クリスマス、正月等の季節的要素を考慮して、プレイリストを作成する構成としてもよい。
【００７４】
また、上記の実施の形態において、プレイリスト作成端末２は、プレイリスト送信先のワイヤレススピーカ１のＩＤを、グラフィカルユーザインターフェース部２１を介してユーザから受け付けているが、本発明はこれに限定されない。例えば、ワイヤレススピーカ１に自ワイヤレススピーカ１のＩＤを表すＱＲコード（登録商標）を貼付し、これをプレイリスト作成端末２のカメラで撮影することにより、ワイヤレススピーカ１のＩＤを取得するようにしてもよい。あるいは、プレイリスト作成端末２およびワイヤレススピーカ１にＲＦＩＤ等の近距離無線通信機能を設け、ワイヤレススピーカ１がこの近距離無線通信を使って自ワイヤレススピーカ１のＩＤをプレイリスト作成端末２に送信するようにしてもよい。
【００７５】
また、上記の実施の形態では、リスナーの撮像データに対して顔認識処理を実施することによってリスナー情報を生成しているが、顔認識処理以外の画像認識処理を実施することによってリスナー情報を生成してもよい。例えば、リスナーの撮像データに対して外見認識処理を実施し、リスナーの服装の特徴（カジュアル、フォーマル、色等）を抽出し、その特徴が、予め定めた分類のいずれに属するかによってリスナーグループの雰囲気を特定するようにしてもよい。これにより、例えば、いずれのリスナーの表情も特定できない場合等には、リスナーの表情に代えて、リスナーの服装の特徴により、リスナーグループの雰囲気を特定してもよい。
【００７６】
また、上記の実施の形態では、プレイリスト作成端末２において、リスナー情報の生成およびプレイリストの作成を行っているが、これらの処理をメディアサーバ３で実施するようにしてもよい。
【００７７】
すなわち、プレイリスト作成端末２からリスナー情報生成部２４、ジャンル情報記憶部２５、楽曲リスト取得部２６、およびプレイリスト作成部２７を省略して、これらの処理部をメディアサーバ３に追加する。そして、プレイリスト作成端末２は、撮像データ取得部２３より取得したリスナーの撮像データを、ワイヤレスネットワークインターフェース部２０からメディアサーバ３に送信する。メディアサーバ３では、リスナー情報生成部２４が、プレイリスト作成端末２から受信した撮像データに顔認識処理を実施してリスナー情報を生成し、楽曲リスト取得部２６が、リスナー情報生成部２４が生成したリスナー情報に対応付けられてジャンル情報記憶部２５に記憶されているジャンル情報に属する楽曲データの楽曲リストを作成する。そして、プレイリスト作成部２７が、楽曲リスト取得部２６が作成した楽曲リストからプレイリストが作成され、このプレイリストをプレイリスト作成端末２に送信する。これを受けて、プレイリスト作成端末２では、プレイリスト送信部２８が、このプレイリストにプレイリスト送信先ＩＤを付加して、ワイヤレスネットワークインターフェース部２０からこのプレイリストをマルチキャスト送信する。
【００７８】
また、上記の実施の形態では、プレイリスト作成端末２がワイヤレスネットワークを介してネットワーク５に接続されている場合を例にとり説明したが、プレイリスト作成端末２は、ワイヤレスネットワークを介さないで、直接、ネットワーク５に接続されたものでもよい。
【００７９】
また、上記の実施の形態では、メディアサーバ３をネットワーク５に接続しているが、メディアサーバ３はワイヤレスネットワークに接続されていてもよい。また、メディアサーバ３は、プレイリスト作成端末２に内蔵されていてもよく、あるいは、いずれかのワイヤレススピーカ１に内蔵されていてもよい。
【００８０】
また、上記の実施の形態において、プレイリスト作成端末２は、プレイリストをワイヤレススピーカ１に送信しているが、本発明はこれに限定されない。プレイリストに従って楽曲データを再生する機能を有する所定のオーディオ機器に送信するものであればよい。
【符号の説明】
【００８１】
１、１−１〜１−３：ワイヤレススピーカ、  ２：プレイリスト作成端末、  ３：メディアサーバ、  ４：アクセスポイント、  ５：ネットワーク、  １０：ワイヤレスネットワークインターフェース部、  １１：プレイリスト受付部、  １２：プレイリスト記憶部、  １３：楽曲データ取得部、  １４：楽曲データ記憶部、  １５：楽曲データ再生部、  １６：スピーカ部、２０：ワイヤレスネットワークインターフェース部、  ２１：グラフィカルユーザインターフェース部、  ２２：プレイリスト送信先設定部、  ２３：撮像データ取得部、  ２４：リスナー情報生成部、  ２５：ジャンル情報記憶部、  ２６：楽曲リスト取得部  ２７：プレイリスト作成部、  ２８：プレイリスト送信部
【図１】
0006625365.tif 000002
【図２】
0006625365.tif 000003
【図３】
0006625365.tif 000004
【図４】
0006625365.tif 000005
【図５】
0006625365.tif 000006
【図６】
0006625365.tif 000007
【図７】
0006625365.tif 000008